(57)【要約】【課題】  電子機器とそれを収容するクレイドルとにより、電子機器の利便性を向上させることが可能な電子機器ユニットを低コストで提供する。【解決手段】  デジタルカメラユニットは、デジタルカメラ１０と、デジタルカメラ１０を収容するクレイドル２０とを有するものであり、クレイドル２０は、デジタルカメラ１０を収容した状態でデジタルカメラ１０と電気的に接続するための端子２１と、端子２１を介してデジタルカメラ１０からの制御により動作するドライブ２２とを備え、デジタルカメラ１０は、クレイドル２０と電気的に接続するための端子１１と、端子１１を介してドライブ２２を制御する制御部１２とを備える。【選択図】  図１
2005150887.tif 000002
【特許請求の範囲】
【請求項１】
電子機器と、当該電子機器を収容するクレイドルとを有する電子機器ユニットであって、
前記クレイドルは、前記電子機器を収容した状態で前記電子機器と電気的に接続するためのインターフェースと、前記インターフェースを介して前記電子機器からの制御により動作するドライブとを備え、
前記電子機器は、前記クレイドルと電気的に接続するためのインターフェースと、前記インターフェースを介して前記ドライブを制御する制御手段とを備える電子機器ユニット。
【請求項２】
請求項１記載の電子機器ユニットであって、
前記クレイドルのインターフェース及び前記電子機器のインターフェースの各々が、前記電子機器の前記クレイドルへの収容時に互いに接触する端子である電子機器ユニット。
【請求項３】
請求項１又は２記載の電子機器ユニットであって、
前記電子機器は、前記制御手段により制御されるドライブを備え、
前記制御手段は、前記電子機器のドライブと前記クレイドルのドライブとを選択的に制御するものである電子機器ユニット。
【請求項４】
請求項３記載の電子機器ユニットであって、
前記クレイドルのドライブが可搬型記憶媒体用のドライブであり、前記電子機器のドライブが内蔵記憶媒体用のドライブであり、前記内蔵記憶媒体は、プリント注文情報が対応付けられた画像データを含む画像データが記憶されるものであり、
前記制御手段は、前記電子機器が前記クレイドルに収容された状態で行われる、前記内蔵記憶媒体に記録されている画像データの編集を指示する画像編集指示に応じて、前記画像データのうちの前記プリント注文情報が対応付けられている画像データを、前記クレイドルのドライブを制御して当該クレイドルに装着される前記可搬型記憶媒体に記憶させるものである電子機器ユニット。
【請求項５】
請求項３記載の電子機器ユニットであって、
前記クレイドルのドライブが可搬型記憶媒体用のドライブであり、前記電子機器のドライブが可搬型記憶媒体用のドライブであり、前記電子機器のドライブに装着される前記可搬型記憶媒体は、プリント注文情報が対応付けられた画像データを含む画像データが記録されるものであり、
前記制御手段は、前記電子機器が前記クレイドルに収容された状態で行われる、前記電子機器のドライブに装着される前記可搬型記憶媒体に記憶されている画像データの編集を指示する画像編集指示に応じて、前記画像データのうちの前記プリント注文情報が対応付けられている画像データを、前記クレイドルのドライブを制御して当該クレイドルに装着される前記可搬型記憶媒体に記憶させるものである電子機器ユニット。
【請求項６】
請求項３〜５のいずれか記載の電子機器ユニットであって、
前記電子機器が、外部機器と通信するための外部機器用インターフェースを備え、
前記制御手段は、前記外部機器用インターフェースを介して受信した、前記電子機器のドライブ及び前記クレイドルのドライブのどちらかを指定するドライブ指定信号に応じて、前記指定されたドライブを制御するものである電子機器ユニット。
【請求項７】
電子機器を収容するクレイドルであって、
前記電子機器を収容した状態で前記電子機器と電気的に接続するためのインターフェースと、
前記インターフェースを介して前記電子機器からの制御により動作するドライブとを備えるクレイドル。
【請求項８】
請求項７記載のクレイドルであって、
前記インターフェースが、前記電子機器の収容時に前記電子機器の端子に接触する端子であるクレイドル。
【請求項９】
ドライブを有するクレイドルに収容される電子機器であって、
前記クレイドルに収容された状態で前記クレイドルと電気的に接続するためのインターフェースと、
前記インターフェースを介して前記ドライブを制御する制御手段とを備える電子機器。
【請求項１０】
請求項９記載の電子機器であって、
前記インターフェースが、前記クレイドルへの収容時に前記クレイドルの端子に接触する端子である電子機器。
【請求項１１】
請求項９又は１０記載の電子機器であって、
前記制御手段により制御されるドライブを備え、
前記制御手段は、前記電子機器のドライブと前記クレイドルのドライブとを選択的に制御するものである電子機器。
【請求項１２】
請求項１１記載の電子機器であって、
前記クレイドルのドライブが可搬型記憶媒体用のドライブであり、前記電子機器のドライブが内蔵記憶媒体用のドライブであり、前記内蔵記憶媒体は、プリント注文情報が対応付けられた画像データを含む画像データが記憶されるものであり、
前記制御手段は、前記電子機器が前記クレイドルに収容された状態で行われる、前記内蔵記憶媒体に記録されている画像データの編集を指示する画像編集指示に応じて、前記画像データのうちの前記プリント注文情報が対応付けられている画像データを、前記クレイドルのドライブを制御して当該クレイドルに装着される前記可搬型記憶媒体に記憶させるものである電子機器。
【請求項１３】
請求項１１記載の電子機器であって、
前記クレイドルのドライブが可搬型記憶媒体用のドライブであり、前記電子機器のドライブが可搬型記憶媒体用のドライブであり、前記電子機器のドライブに装着される前記可搬型記憶媒体は、プリント注文情報が対応付けられた画像データを含む画像データが記録されるものであり、
前記制御手段は、前記電子機器が前記クレイドルに収容された状態で行われる、前記電子機器のドライブに装着される前記可搬型記憶媒体に記憶されている画像データの編集を指示する画像編集指示に応じて、前記画像データのうちの前記プリント注文情報が対応付けられている画像データを、前記クレイドルのドライブを制御して当該クレイドルに装着される前記可搬型記憶媒体に記憶させるものである電子機器。
【請求項１４】
請求項１１〜１３のいずれか記載の電子機器であって、
外部機器と通信するための外部機器用インターフェースを備え、
前記制御手段は、前記外部機器用インターフェースを介して受信した、前記電子機器のドライブ及び前記クレイドルのドライブのどちらかを指定するドライブ指定信号に応じて、前記指定されたドライブを制御するものである電子機器。
【発明の詳細な説明】
【技術分野】
【０００１】
本発明は、電子機器と、当該電子機器を収容するクレイドルとを有する電子機器ユニット、クレイドル、及び電子機器に関する。
【背景技術】
【０００２】
従来、デジタルカメラとそれを収容するクレイドルとを備えたカメラシステムとして特許文献１に記載されたものがある。特許文献１記載のシステムでは、デジタルカメラとクレイドルとがコネクタにより接続可能になっており、クレイドル内のＣＰＵが、デジタルカメラの内蔵メモリに記録された画像データをコネクタを介して取得し、取得した画像データに基づく画像をクレイドルの表示部に表示させたり、その画像データをクレイドルの記憶装置に記録させたりする制御を行っている。このシステムによれば、デジタルカメラの能力が低い場合でも、その能力の低さをクレイドルによりカバーすることができる。
【０００３】
【特許文献１】特開２００２−６０１８３号公報
【発明の開示】
【発明が解決しようとする課題】
【０００４】
しかしながら、上記システムでは、クレイドルがＣＰＵを有する構成のため、クレイドルの製造コストが高くなってしまう。このため、システム全体の製造コストも高くなってしまう。
【０００５】
本発明は、上記事情に鑑みてなされたものであり、電子機器とそれを収容するクレイドルとにより、電子機器の利便性を向上させることが可能な電子機器ユニットを低コストで提供することを目的とする。
【課題を解決するための手段】
【０００６】
本発明の電子機器ユニットは、電子機器と、当該電子機器を収容するクレイドルとを有する電子機器ユニットであって、前記クレイドルは、前記電子機器を収容した状態で前記電子機器と電気的に接続するためのインターフェースと、前記インターフェースを介して前記電子機器からの制御により動作するドライブとを備え、前記電子機器は、前記クレイドルと電気的に接続するためのインターフェースと、前記インターフェースを介して前記ドライブを制御する制御手段とを備える。
【０００７】
又、本発明の電子機器ユニットは、前記クレイドルのインターフェース及び前記電子機器のインターフェースの各々が、前記電子機器の前記クレイドルへの収容時に互いに接触する端子である。
【０００８】
又、本発明の電子機器ユニットは、前記電子機器が、前記制御手段により制御されるドライブを備え、前記制御手段が、前記電子機器のドライブと前記クレイドルのドライブとを選択的に制御するものである。
【０００９】
この構成により、電子機器をクレイドルに収容した状態で、電子機器とクレイドルとが電気的に接続され、クレイドルのドライブが電子機器の制御手段からの制御により動作可能となる。このため、例えば、電子機器のドライブに装着される記憶媒体に記憶されているデータを、クレイドルのドライブに装着される記憶媒体に記憶することができ、電子機器の利便性を向上させることができる。又、クレイドルは、端子とドライブとしか有していないため、その製造コストを低く抑えながら、上記効果を得ることができる。
【発明の効果】
【００１０】
本発明によれば、電子機器とそれを収容するクレイドルとにより、電子機器の利便性を向上させることが可能な電子機器ユニットを低コストで提供することができる。
【発明を実施するための最良の形態】
【００１１】
図１は、本発明を実施するための最良の形態を説明するためのデジタルカメラユニットの概略構成を示す図である。
デジタルカメラユニット１００は、デジタルカメラ１０と、デジタルカメラ１０を収容するクレイドル２０とを備える。クレイドル２０は、デジタルカメラ１０を収容した状態で、デジタルカメラ１０と信号の送信及び受信の少なくとも一方を行う機能（充電機能等を含む）を持つものである。尚、図１では、デジタルカメラ１０に最低限必要な撮影機能等の構成を省略し、本実施形態の説明に必要な構成要素のみを示した。
【００１２】
クレイドル２０は、デジタルカメラ１０を収容した状態でデジタルカメラ１０と電気的に接続するためのインターフェースである端子２１と、端子２１を介してデジタルカメラ１０からの制御により動作するドライブ２２と、ドライブ２２に装着される可搬型記憶媒体２３とを備える。可搬型記憶媒体２３は、メモリースティック（登録商標）、ＳＤカード（登録商標）、ＣＦカード（登録商標）、ＣＤ−Ｒ、ＣＤ−ＲＷ、ＤＶＤ−Ｒ、ＤＶＤ−ＲＷ、ＭＯ、及びフレキシブルディスク等の記憶媒体である。ドライブ２２は、可搬型記憶媒体２３へのデータの読み書きを行う。
【００１３】
デジタルカメラ１０は、クレイドル２０に収容された状態でクレイドル２０と電気的に接続するためのインターフェースである端子１１と、端子１１を介してクレイドル２０のドライブ２２を制御する制御部１２と、制御部１２により制御されるドライブ１３と、ドライブ１３に装着される可搬型記憶媒体や内蔵記憶媒体（例えば、ハードディスク）等の記憶媒体１４と、外部機器であるコンピュータ３０と通信するためのインターフェースであるＵＳＢインターフェース１５とを備え、端子１１及びドライブ１３は制御部１２にバス１６を介して接続され、ＵＳＢインターフェース１５は制御部１２にバス１７を介して接続される。
【００１４】
端子１１は、デジタルカメラ１０がクレイドル２０に収容された状態で、クレイドル２０の端子２１と接触することで、デジタルカメラ１０とクレイドル２０とを電気的に接続する。デジタルカメラ１０とクレイドル２０とを電気的に接続するためのインターフェースは、端子１１及び２１に限らず、赤外線通信ポート等であっても良い。
【００１５】
ドライブ１３は、記憶媒体１４へのデータの読み書きを行う。ドライブ１３に装着される記憶媒体１４には、デジタルカメラ１０で撮影された画像データが記憶される。デジタルカメラ１０は、撮影した画像データのプリント注文枚数やプリントサイズ等を画像データ毎に設定できるＤＰＯＦ（Digital Print Order Format）機能を有しており、記憶媒体１４には、画像データと共にＤＰＯＦ設定情報（プリント注文情報）も記憶されている。
【００１６】
制御部１２は、デジタルカメラ１０がクレイドル２０に収容され、デジタルカメラ１０とクレイドル２０とが電気的に接続された状態で、端子１１を介してクレイドル２０のドライブ２２を制御する。制御部１２は、ドライブ１３とドライブ２２とをセレクト信号等を用いたり、スイッチで制御先を切り替えたり等して選択的に制御する。制御部１２は、ＵＳＢインターフェース１５を介してコンピュータ３０から受信した、ドライブ１３及びドライブ２２のどちらかを指定するドライブ指定信号に応じて、その指定されたドライブを制御する。制御部１２は、コンピュータ３０からＵＳＢインターフェース１５を介して転送されてくる画像データ等を、上記指定されたドライブを制御して、記憶媒体１４又は記憶媒体２３に記憶させる。
【００１７】
次に、図１に示すデジタルカメラユニットの動作を説明する。
図２は、本発明を実施するための最良の形態を説明するためのデジタルカメラユニットの動作フローを示す図であり、記憶媒体１４に記憶されている画像データを記憶媒体２３に記憶させる場合の動作フローを示す図である。
【００１８】
デジタルカメラユニット１００の使用者は、デジタルカメラ１０で撮影を行い、撮影した一部の画像データにＤＰＯＦ設定を行った後、デジタルカメラ１０をクレイドル２０に収容する。デジタルカメラ１０がクレイドル２０に収容され、端子１１と端子２１とが接触すると、デジタルカメラ１０とクレイドル２０とが電気的に接続されたことを示す接続検出信号が制御部１２に通知される。接続検出信号は、例えば、クレイドル２０に設けられた接続検出ボタンを、デジタルカメラ１０に設けられた突起部が押圧することで生成される。この状態で、使用者が、記憶媒体１４に記録されている画像データの編集を指示する画像編集指示を行うと、制御部１２がその指示に応じて以下のように動作する。この画像編集指示は、クレイドル２０に設けられた画像編集指示ボタンを押下したり、デジタルカメラ１０の操作部を操作したりすることで行う。
【００１９】
制御部１２は、まず、デジタルカメラ１０のドライブ１３を制御し、記憶媒体１４に記憶されている画像データの中から、ＤＰＯＦ設定がなされている画像データのみを検索し（Ｓ２０１）、検索した画像データを制御部１２内のＲＡＭ等に一時記憶する（Ｓ２０２）。その後、制御部１２は、クレイドル２０のドライブ２２に、ＲＡＭに記憶した画像データを転送し、可搬型記憶媒体２３に当該画像データを記憶させる（Ｓ２０３）。
【００２０】
図３は、本発明を実施するための最良の形態を説明するためのデジタルカメラユニットの動作フローを示す図であり、コンピュータ３０から転送されてきた画像データを、記憶媒体１４又は可搬型記憶媒体２３に転送して記憶させる場合の動作フローを示す図である。
上記接続検出信号を通知された制御部１２に対し、使用者がコンピュータ３０を操作して、コンピュータ３０内に記憶されている画像データを記憶媒体１４又は２３に記憶させる指示を行うと、当該画像データと当該指示とがＵＳＢインターフェース１５を介して制御部１２に入力される（Ｓ３０１）。制御部１２は、入力された指示を認識し、その指示が記憶媒体１４への画像データの記憶指示であった場合（Ｓ３０２：ＹＥＳ）、セレクト信号をドライブ１３に送信し、ドライブ１３を動作状態にする（Ｓ３０３）。その後、制御部１２は、入力された画像データをドライブ１３に転送してドライブ１３を制御する（Ｓ３０４）。そして、ドライブ１３により、画像データの記憶媒体１４への記憶が行われる（Ｓ３０５）。
【００２１】
一方、制御部１２は、入力された指示が可搬型記憶媒体２３への画像データの記憶指示であった場合（Ｓ３０２：ＮＯ）、セレクト信号をドライブ２２に送信し、ドライブ２２を動作状態にする（Ｓ３０６）。その後、制御部１２は、入力された画像データをドライブ２２に転送してドライブ２２を制御する（Ｓ３０７）。そして、ドライブ２２により、画像データの可搬型記憶媒体２３への記憶が行われる（Ｓ３０８）。
【００２２】
以上のようにデジタルカメラユニット１００によれば、デジタルカメラ１０をクレイドル２０に収容して画像編集指示を行うだけで、デジタルカメラ１０の記憶媒体１４に記憶した画像データのうち、ＤＰＯＦ設定がなされている画像データのみを、クレイドル２０のドライブ２２に装着された可搬型記憶媒体２３に記憶することができる。このため、デジタルカメラ１０のドライブ１３に装着される記憶媒体１４がハードディスクである場合（デジタルカメラ１０が可搬型記憶媒体用のドライブを持たない場合）でも、ＤＰＯＦ設定された画像データのみを可搬型記憶媒体２３に簡単に移すことができる。尚、ＤＰＯＦ設定がなされている画像データのみではなく、記憶媒体１４に記憶されている画像データ全てを記憶媒体２３に移すことも可能である。
【００２３】
又、デジタルカメラ１０のドライブ１３に装着される記憶媒体１４が可搬型記憶媒体である場合は、画像のプリント注文を行いたいとき毎に、デジタルカメラ１０のドライブ１３に装着された記憶媒体１４を、ドライブ１３から取り出すといった作業を行う必要がなくなる。
【００２４】
又、デジタルカメラユニット１００によれば、デジタルカメラ１０とコンピュータ３０とを接続しなくとも、必要な画像データを可搬型記憶媒体２３に記憶して、持ち運ぶことができるため、画像のプリント注文を行うまでの作業を簡略化することができる。
【００２５】
又、デジタルカメラユニット１００によれば、クレイドル２０が端子２１とドライブ２２としか持っていないため、クレイドル２０の製造コストを上げることなく、上記のような効果を得ることができる。
【００２６】
又、デジタルカメラユニット１００によれば、クレイドル２０は、デジタルカメラ１０とは異なり、その大きさには制限がないため、ドライブ２２に装着する記憶媒体２３として複数種類のものを利用することができる。
【００２７】
又、デジタルカメラユニット１００によれば、デジタルカメラ１０とコンピュータ３０とをＵＳＢインターフェース１５で接続し、コンピュータ３０側から転送した画像データを記憶媒体１４や記憶媒体２３に記憶することができる。つまり、デジタルカメラユニット１００を購入することで、デジタルカメラ１０を使用することができると共に、２つの記憶媒体にデータを記憶させることもできるようになる。
【００２８】
又、デジタルカメラユニット１００によれば、デジタルカメラ１０のＵＳＢインターフェース１５を利用して、コンピュータ３０から転送された画像データを可搬型記憶媒体２３に記憶させることができる。このため、クレイドル２０においてＵＳＢのＩＤを取得する必要がなく、クレイドル２０の製造コストを低く抑えることができる。
【００２９】
例えば、ＣＤ−Ｒドライブしか内蔵していないコンピュータ３０を用いて、ＭＯに画像データを記憶したい場合、ＭＯ用のドライブをコンピュータ３０に接続する必要がある。ＭＯのドライブは、ＵＳＢ等でコンピュータ３０に接続するものであるが、ＵＳＢのＩＤの取得にはコストがかかるため、ＭＯ用のドライブの購入には資金が多くかかってしまう。ところが、デジタルカメラユニット１００は、デジタルカメラ１０のＵＳＢインターフェース１５を利用して、ＭＯ等の可搬型記憶媒体２３に画像データを記憶することができるものであるため、クレイドル２０にはＵＳＢのＩＤ取得のためのコストはかかっておらず、クレイドルの購入資金は少なく済む。したがって、使用者は、ＭＯ用のドライブを購入するよりも少ない資金で、可搬型記憶媒体用のドライブと同等の機能を手に入れることができる。
【００３０】
尚、上記において、記憶媒体１４に記憶されている画像データのうちＤＰＯＦ設定がなされている画像データが記憶媒体２３に記憶された後、制御部１２がドライブ１３を制御して、記憶媒体１４に記憶されている画像データの全て又はＤＰＯＦ設定がなされているもののみを自動的に消去するようにしても良い。
【００３１】
又、上記では、記憶媒体１４に記憶されている画像データのうちＤＰＯＦ設定がなされている画像データが記憶媒体２３に記憶されるが、これとは逆に、制御部１２の制御により、記憶媒体２３に記憶されている画像データを記憶媒体１４に記憶させることも可能である。
【００３２】
又、上記では、デジタルカメラ１０とコンピュータ３０とをＵＳＢインターフェース１５で接続し、コンピュータ３０側から転送した画像データを記憶媒体１４や記憶媒体２３に記憶することができるが、これとは逆に、記憶媒体１４や記憶媒体２３に記憶されている画像データをコンピュータ３０に転送することも可能である。
【００３３】
又、上記では、クレイドル２０にドライブ２２が１つしかない場合を例に説明したが、クレイドル２０には、複数種類の記憶媒体に対応したドライブを設けても良い。
【００３４】
又、上記形態は、デジタルカメラに限らず、携帯電話機やＰＤＡ等の携帯端末装置を含む電子機器に有効に適用可能である。
【図面の簡単な説明】
【００３５】
【図１】本発明を実施するための最良の形態を説明するためのデジタルカメラユニットの概略構成を示す図
【図２】本発明を実施するための最良の形態を説明するためのデジタルカメラユニットの動作フローを示す図
【図３】本発明を実施するための最良の形態を説明するためのデジタルカメラユニットの動作フローを示す図
【符号の説明】
【００３６】
１００  デジタルカメラユニット
１０  デジタルカメラ
１１、２１  端子
１２  制御部
１３、２２  ドライブ
１４  記憶媒体
１５  ＵＳＢ
１６、１７  バス
２０  クレイドル
２３  可搬型記憶媒体
【図１】
2005150887.tif 000003
【図２】
2005150887.tif 000004
【図３】
2005150887.tif 000005